(57)【特許請求の範囲】
【請求項１】
著作権保護用の処理を行う信号処理手段を搭載した第１のメモリと、上記第１のメモリと形状を略同一とし上記信号処理手段を搭載していない第２のメモリとが選択的に装着可能とされる着脱機構と、
上記着脱機構に装着されたメモリが上記第１のメモリか或いは上記第２のメモリかを判別する判別手段と、
上記判別手段により装着されたメモリが上記第２のメモリと判別された場合に、その装着された上記第２のメモリについてのデータの記録又は再生動作を禁止制御する禁止制御手段と、
を備えていることを特徴とする著作権対応携帯端末。
【請求項２】
上記禁止制御手段によって記録又は再生動作が禁止されるデータとは、著作権保護対象のデータであることを特徴とする請求項１に記載の著作権対応携帯端末。
【請求項３】
著作権保護用の処理を行う信号処理手段を搭載した第１のメモリと、上記第１のメモリと形状を略同一とし上記信号処理手段を搭載していない第２のメモリとが選択的に装着可能とされる着脱機構と、
上記着脱機構に装着されたメモリが上記第１のメモリか或いは上記第２のメモリかを判別する判別手段と、
上記判別手段により装着されたメモリが上記第２のメモリと判別された場合に、その装着された上記第２のメモリを排出させる排出制御手段と、
を備えていることを特徴とする著作権対応携帯端末。
【請求項４】
著作権保護用の処理を行う信号処理手段を搭載した第１のメモリと、上記第１のメモリと形状を略同一とし上記信号処理手段を搭載していない第２のメモリとが選択的に装着可能とされる着脱機構と、
上記着脱機構に装着されたメモリが上記第１のメモリか或いは上記第２のメモリかを判別する判別手段と、
上記判別手段により装着されたメモリが上記第１のメモリと判別された場合に、その装着された上記第１のメモリについてのデータの記録又は再生動作を禁止制御する禁止制御手段と、
を備えていることを特徴とする著作権非対応携帯端末。
【請求項５】
上記禁止制御手段によって記録又は再生動作が禁止されるデータとは、著作権保護対象外のデータであることを特徴とする請求項４に記載の著作権非対応携帯端末。
【請求項６】
著作権保護用の処理を行う信号処理手段を搭載した第１のメモリと、上記第１のメモリと形状を略同一とし上記信号処理手段を搭載していない第２のメモリとが選択的に装着可能とされる着脱機構と、
上記着脱機構に装着されたメモリが上記第１のメモリか或いは上記第２のメモリかを判別する判別手段と、
上記判別手段により装着されたメモリが上記第１のメモリと判別された場合に、その装着された上記第１のメモリを排出させる排出制御手段と、
を備えていることを特徴とする著作権非対応携帯端末。
【発明の詳細な説明】
【０００１】
【発明の属する技術分野】
本発明は、例えば著作権対応のメモリと非著作権対応のメモリなどを選択的に装着可能な、著作権対応携帯端末及び著作権非対応携帯端末に関するものである。
【０００２】
【従来の技術】
現在、ＷＷＷ（world wide web）において、ＰＣ（パーソナルコンピュータ）を介して所望のサーバにアクセスして、圧縮処理が施された音楽、映像等のデジタルデータをＰＣ上のハードディスクにダウンロードし、ユーザが楽しむことなどが広く行われている。
更に、フラッシュメモリに代表される不揮発性メモリを搭載した可搬型のメモリ（例えばメモリカード）を携帯端末に装填し（或いは固定の不揮発性メモリが内蔵された携帯端末を用い）、その携帯端末をＩＥＥＥ１３９４規格のケーブル、ＲＳ(recommended standard)−２３２Ｃ、ＵＳＢ(universal standard bus)等のＩ／Ｆ（インターフェース）を介して上記ＰＣに接続することで、ハードディスク上の圧縮が施された音楽、映像等のデジタルデータを上記不揮発性メモリに移動もしくは複写して、例えば屋外で音楽等の聴取を楽しむことができるようにしたものなどが知られている。
【０００３】
【発明が解決しようとする課題】
ところで、インターネット経由でダウンロードされるデジタルデータに関しては現段階では暗号化及び／又は認証等を施すことで実現する著作権管理が厳しくなされてない為に違法コピーが広まってしまうという状況があった。
【０００４】
現在、上記不揮発性メモリに蓄積されるデジタルデータには暗号化が施されておらず、このため上記の携帯端末を用いるシステムにおいても違法コピーが氾濫するという懸念がある。
そこで、著作権管理を厳しく行う為に不揮発性メモリ内部に認証及び暗号を行う信号処理回路を搭載したものが提唱されている。即ち著作権対応の不揮発性メモリ（著作権対応のメモリカード）が開発されている。
【０００５】
ところが、現在提唱されつつある著作権対応の不揮発性メモリを普及させる場合、従来より普及している非著作権対応の不揮発性メモリと、ユーザーサイドにおいて明確に区別され、使用状況に応じて使い分けられるようにすることが必要である。
その一方で、旧来の携帯装置との間での互換性などを考えると、著作権対応の不揮発性メモリを、旧来の不揮発性メモリと異なる外形形状とすることは適切ではない。換言すれば、著作権対応の不揮発性メモリと非著作権対応の不揮発性メモリは、どちらも携帯端末に対して装填可能となる。
【０００６】
非著作権対応の不揮発性メモリは、例えば会議録音などの著作権フリーな音声、映像等のデジタルデータの記録に用いられるものである。
一方、著作権対応の不揮発性メモリは、ＣＤ（コンパクトディスク）やＭＤ（ミニディスク）等の既存の記録媒体から出力されるデジタルデータ（例えば音楽データ）などの記録に用いる。即ち、著作権が保護されるべきデータの記録に対して、暗号化やもしくは所定の認証処理などが行われるようにすることで、違法コピーを防止できるようにするものである。
なおこのため、著作権対応の不揮発性メモリは、非著作権対応の不揮発性メモリに比して、認証処理や暗号化処理の為の信号処理回路が搭載しなければならないものとなる。
【０００７】
携帯端末の形態としては、主に会議録音のみが可能な携帯端末と、上記ＰＣ等から暗号化が施されたデジタルデータをダウンロード可能な携帯端末の２種類が考えられる。
ここで会議録音のみが可能な携帯端末には非著作権対応の不揮発性メモリが挿入されて使用され、一方、ＰＣ等からデータのダウンロード可能な携帯端末には著作権対応の不揮発性メモリが挿入されて使用されるべきである。
ところが上述のように、著作権対応の不揮発性メモリと非著作権対応の不揮発性メモリは、略同一形状となっており、一般ユーザーにとって見分けにくい。また、携帯端末の種別と不揮発性メモリの種別の対応関係を、全てのユーザーが理解した上で使用するわけではない。
さらに、例えば上記のダウンロード可能な携帯端末にマイクロホンを接続して会議録音等を行うような使用形態も考えられ、そのような場合は、非著作権対応の不揮発性メモリが挿入されて使用されてよいものである。
【０００８】
これらの事情、即ち、不揮発性メモリの種別の識別の困難性、携帯端末の種別と不揮発性メモリの種別の対応関係の理解不足、使用形態に応じた使い分けの可能性などのことから、ユーザーが携帯端末を使用する際に、適切でない種類の不揮発性メモリを挿入してしまうという誤挿入は頻繁に発生すると考えられ、それによって不適切な記録／再生が行われてしまうことがある。
これによって著作権保護が良好に実現できなかったり、或いはユーザーが著作権保護が不要なデータを著作権対応の不揮発性メモリに記録してしまって、後に自由に扱うことができなくなるなどの不都合が生じることが考えられる。
また、非著作権対応の不揮発性メモリを装填してしまうことで、著作権保護の必要なデータのダウンロード録音等に失敗してしまうということもある。
【０００９】
【課題を解決するための手段】
本発明はこのような事情に鑑み、一般ユーザーが携帯装置に対して適切なメモリを装填して使用できるようにすることを目的とする。
【００１０】
このために本発明の著作権対応携帯端末としては、著作権保護用の処理（例えば暗号化処理や認証処理）を行う信号処理手段を搭載した第１のメモリと、上記第１のメモリと形状を略同一とし上記信号処理手段を搭載していない第２のメモリとが選択的に装着可能とされる着脱機構と、上記着脱機構に装着されたメモリが上記第１のメモリか或いは上記第２のメモリかを判別する判別手段と、この判別手段により装着されたメモリが上記第２のメモリと判別された場合に、その装着された上記第２のメモリについてのデータの記録又は再生動作を禁止制御する禁止制御手段とを備えるようにする。
また禁止制御手段によって記録又は再生動作が禁止されるデータとは、著作権保護対象のデータであるとする。
また上記本発明の著作権対応携帯端末において、上記禁止制御手段に代えて排出制御手段を備えるようにする。この排出制御手段は、判別手段により装着されたメモリが上記第２のメモリと判別された場合に、その装着されたメモリを排出させる制御を行う。
【００１１】
つまりこれらの構成の著作権対応携帯端末は、著作権対応の記録再生装置とされ、非著作権対応のメモリが装着された場合に、データの記録又は再生が実行されないように、記録／再生動作の禁止もしくはメモリの排出を行うようにするものである。
【００１２】
また本発明の著作権非対応携帯端末としては、著作権保護用の処理（例えば暗号化処理や認証処理）を行う信号処理手段を搭載した第１のメモリと、上記第１のメモリと形状を略同一とし上記信号処理手段を搭載していない第２のメモリとが選択的に装着可能とされる着脱機構と、上記着脱機構に装着されたメモリが第１のメモリか或いは第２のメモリかを判別する判別手段と、この判別手段により、装着されたメモリが第１のメモリと判別された場合に、その装着された上記第１のメモリについてのデータの記録又は再生動作を禁止制御する禁止制御手段とを備えるようにする。
また禁止制御手段によって記録又は再生動作が禁止されるデータとは、著作権保護対象外のデータであるとする。
また上記本発明の著作権非対応携帯端末において、上記禁止制御手段に代えて排出制御手段を備えるようにする。この排出制御手段は、判別手段により装着されたメモリが上記第１のメモリと判別された場合に、その装着されたメモリを排出させる制御を行う。
【００１３】
つまりこれらの構成の著作権非対応携帯端末は、非著作権対応の記録再生装置とされ、著作権対応のメモリが装着された場合に、データの記録又は再生が実行されないように、記録／再生動作の禁止もしくはメモリの排出を行うようにするものである。
【００１４】
【発明の実施の形態】
以下、本発明の実施の形態について説明する。
この実施の形態は、フラッシュメモリを内蔵したメモリカードを、着脱自在の記録媒体として用いる携帯装置の例とする。なお、この携帯装置は、ディジタルオーディオ信号等についての記録再生装置であり、以下、携帯装置を「レコーダ」ともいう。
また実施の形態としては、著作権に関するセキュリティ機能を持つ著作権対応の携帯装置（レコーダ１Ａ）及びそれに対応するメモリカード４０Ａと、著作権に関するセキュリティ機能を持たない非著作権対応の携帯装置（レコーダ１Ｂ）及びそれに対応するメモリカード４０Ｂについてそれぞれ説明する。
さらにその後、メモリカード４０Ａ、４０Ｂの両方に対応する携帯装置（レコーダ１Ｃ）についても説明する。
【００１５】
まず図１に、著作権対応の携帯装置（レコーダ１Ａ）及びメモリカード４０Ａの構成を示す。
図１においては、破線で囲むそれぞれの部位としてレコーダ１Ａ及びメモリカード４０Ａの構成を示している。メモリカード４０Ａはレコーダ１Ａに対して着脱自在とされる。
なお、実施の形態として説明するレコーダ１Ａ（及び後述する１Ｂ、１Ｃ）とメモリカード４０Ａ（及び後述する４０Ｂ）による記録再生システムは、ディジタルオーディオ信号以外に動画データ、静止画データ等の記録／再生も実行可能である。
【００１６】
レコーダ１Ａは、ＣＰＵ２と、このＣＰＵ２に対してバスで接続されたセキュリティブロック３と、操作部４と、表示デバイス５とを有している。
セキュリティブロック３は、ＤＥＳ(Data Encryption Standard)の暗号化回路や認証処理のための回路を含む。
【００１７】
操作部４としてはユーザーが各種操作を行うために、記録や再生に関する各種のキー、ボタン、ジョグダイヤルなどが設けられる。
そして操作部４からのユーザの操作に応じて発生した録音指令、再生指令等の操作情報は、バスを介してＣＰＵ２に与えられる。
表示デバイス５は、例えば液晶パネルなどで形成され、ＣＰＵ２の制御に基づいて、種々の情報やレコーダ１の動作状態等が表示される。
【００１８】
さらにレコーダ１Ａには、オーディオインターフェース６、エンコーダ／デコーダ７、Ａ／Ｄ変換器９、Ｄ／Ａ変換器１２が設けられる。
オーディオインターフェース６は、外部入出力と内部のエンコーダ／デコーダ７との間のオーディオデータのインターフェース処理を行う。
【００１９】
エンコーダ／デコーダ７は、ディジタルオーディオ信号を高能率符号化し、また、高能率符号化データを復号する。
高能率符号化方法としては、ミニディスクシステムで採用されているＡＴＲＡＣ(Adaptive Transform Acoustic Coding)を改良した方式（ＡＴＲＡＣ３と表記する）が使用できる。ＡＴＲＡＣ３では、４４．１ｋHzでサンプリングした１サンプル１６ビットのオーディオデータを処理する。ＡＴＲＡＣ３でオーディオデータを処理する時の最小のデータ単位がサウンドユニット（ＳＵ）である。１ＳＵは、１０２４サンプル分（１０２４×１６ビット×２チャンネル）を数百バイトに圧縮したものであり、時間にして約２．３ｍ秒である。このようなＡＴＲＡＣ３によりオーディオデータが約１／１０のデータ量に圧縮される。なお圧縮／伸長処理による音質の劣化は少ない。
【００２０】
外部のオーディオ出力機器、例えばＣＤプレーヤやＭＤ（ミニディスク）プレーヤの再生出力、チューナの出力、テーププレーヤの再生出力等として、アナログオーディオ信号が当該レコーダ１Ａに供給される場合は、そのアナログオーディオ信号は端子８からＡ／Ｄ変換器９に供給されてディジタルオーディオ信号へ変換され、オーディオインターフェース６に供給される。
また、例えば同じく外部のオーディオ出力機器からの再生出力や、ディジタル放送の受信データ、ネットワークで配信されたオーディオデータ等としてデジタルオーディオ信号がレコーダ１Ａに供給される場合は、そのデジタルオーディオ信号は端子１０からオーディオインターフェース６に供給される。このディジタルオーディオ信号は、外部機器から例えば光ケーブルを介してレコーダ１Ａに伝送される。
【００２１】
オーディオインターフェース６では、このように入力されるオーディオ信号の選択処理が行われ、選択されたオーディオ信号がエンコーダ／デコーダ７に供給される。
エンコーダ／デコーダ７では、供給されるディジタルオーディオ信号に対して上記の高能率符号化の処理を行い、符号化データをセキュリティブロック３に供給する。
【００２２】
セキュリティブロック３においては、供給された符号化データを暗号化する。
セキュリティブロック３及び後述するメモリカード４０Ａ内のセキュリティブロック５２は、コンテンツ（ここでは、ディジタルオーディオ信号）の著作権を保護するために備えられているもので、レコーダ１Ａのセキュリティブロック３は、複数のマスターキーと機器毎にユニークなストレージキーを持つ。そしてこれらキーを用いて暗号化及び暗号解読処理を行うことができる。
さらにセッションキーを生成する乱数発生回路を持つ。そして当該レコーダ１Ａにセキュリティブロック５２を内蔵するメモリカード４０Ａが装着された時に、装着されたメモリカード４０Ａが真正なものであるか否かを確認する認証を行い、正しく認証できれば、セキュリティブロック５２との間でセッションキーを共有することができる。
またセキュリティブロック３、５２は、それぞれが所定の認証処理を行うための機能を備えている。
【００２３】
詳しくは後述するが、メモリカード４０Ａは、フラッシュメモリ（不揮発性メモリ）４２、ＤＥＳの暗号化回路を含むセキュリティブロック５２、通信用インターフェース、レジスタ等が１チップ上にＩＣ化されたものである。
このメモリカード４０Ａは、レコーダ１Ａに対して着脱自在とされている。なお本例のレコーダ１Ａでは、暗号化機能を有しないメモリカード、すなわち、セキュリティブロックを有しない、後述するメモリカード４０Ｂを装着することも可能とされている。
【００２４】
上述のように入力され、エンコーダ／デコーダ７での高能率符号化処理及びセキュリティブロック３での暗号化処理が施されたオーディオデータはＣＰＵ２に供給される。
ＣＰＵ２は、図示しない着脱機構に装着されたメモリカード４０Ａと、メモリインタフェース１１を介して通信を行なう。なお、メモリインタフェース１１によって、ＣＰＵ２とメモリカード４０Ａとの間では、シリアル通信がなされる。
ＣＰＵ２は、セキュリティブロック３での暗号化処理が施されたオーディオデータを、メモリインターフェース１１を介してメモリカード４０Ａに供給し、フラッシュメモリ４２に書き込む。
以上の経路で、入力されたオーディオ信号がメモリカード４０Ａに記録される。
【００２５】
メモリカード４０Ａに記録されたオーディオデータを再生する際には、ＣＰＵ２はメモリインターフェース１１を介してフラッシュメモリ４２から読み出させたオーディオデータを転送させて取り込む。そして読み出されたオーディオデータ、即ち暗号化されているオーディオデータをセキュリティブロック３に供給して暗号解読としての復号化を実行させる。さらに解読されたオーディオデータをエンコーダ／デコーダ７によって圧縮処理に対する復号化処理を実行させる。
【００２６】
エンコーダ／デコーダ７での復号処理により４４．１ｋHzサンプリングで１サンプル１６ビットのデータとされたオーディオ信号は、オーディオインターフェース６を介してＤ／Ａ変換器１２に供給されてアナログオーディオ信号とされ、端子１３から外部機器に出力される。
又は、エンコーダ／デコーダ７からのオーディオデータ、並びにセキュリティブロック３からの復号化データは、オーディオインターフェース６を介してディジタルデータとして端子１４および端子１５から外部機器に出力される。
【００２７】
なお、以上の説明において、メモリカード４０Ａへのオーディオデータの記録の際の暗号化、及びメモリカード４０Ａからの再生時の暗号解読は、レコーダ１Ａ側のセキュリティブロック３で行われるようにしたが、これらがメモリカード４０Ａ内のセキュリティブロック５２で行われるようにしてもよい。
また、記録時にはセキュリティブロック３で暗号化され、再生時にはセキュリティブロック５２で暗号解読が行われるようにしてもよいし、逆に記録時にはセキュリティブロック５２で暗号化され、再生時にはセキュリティブロック３で暗号解読が行われるようにしてもよい。
さらに、記録時にセキュリティブロック３とセキュリティブロック５２で２重に暗号化され、再生時にはセキュリティブロック５２とセキュリティブロック３で暗号解読が行われるようにしてもよい。
セキュリティブロック３、５２は、それぞれ同様の暗号化機能を持つものとすることで、暗号化及び解読のためのキーの共有、授受などの設定により、これらのうちの任意の方式を実現できる。
【００２８】
またセキュリティブロック３、５２は、暗号化及び暗号解読機能以外に、認証機能を備えるものであり、レコーダ１Ａにメモリカード４０Ａが装着された際には、セキュリティブロック３とセキュリティブロック５２の間での認証データの送受信を行い、そのデータ通信の結果により、認証ＯＫ／ＮＧの判断を行う。そして例えば認証ＮＧの場合は、レコーダ１Ａはそのメモリカード４０Ａに対して記録／再生動作を実行させないなどとする処理方式が実現可能となる。
認証処理の具体的な方式としては、レコーダ１Ａにメモリカード４０Ａが装着された際に、レコーダ１Ａ側がセキュリティブロック３内に保持している或る第１の認証データをメモリカード４０Ａ側に送信する。メモリカード４０Ａのセキュリティブロック５２は、送信されてきた或る第１の認証データに対して、予め決められている方式で対応する第２の認証データを発生させ、第１の認証データに第２の認証データを付加してレコーダ１Ａ側に送信する。
レコーダ１Ａ側では、ＣＰＵ２が、メモリカード４０Ａから第１の認証データに対して適正に対応する第２の認証データが送信されてきたか否かを監視することにより認証ＯＫ／ＮＧを判断できる。
このような認証機能と、暗号化／解読機能は、上述のように主に著作権保護のために設けられているものである。
【００２９】
図２はメモリカード４０Ａの構成を示す。
このメモリカード４０Ａは、コントロールブロック４１とフラッシュメモリ４２が１チップＩＣとして構成されたものである。
【００３０】
レコーダ１ＡのＣＰＵ２とメモリカード４０Ａとの間の双方向シリアルインタフェース（メモリインタフェース１１）は、１０本の信号線からなる。
主要な４本の信号線は、データ伝送時にクロックを伝送するためのクロック線ＳＣＫと、ステータス情報を伝送するためのステータス線ＳＢＳと、データを伝送するデータ線ＤＩＯと、インターラプト線ＩＮＴとである。
その他に電源供給用として、２本のグランド線ＧＮＤおよび２本の電源電圧線ＶＣＣが設けられる。なお、残りの２本の信号線Ｒｅｓｅｒｖは、未定義の線である。
【００３１】
クロック線ＳＣＫは、データに同期したクロックを伝送するための線である。ステータス線ＳＢＳは、メモリカード４０Ａのステータスを表す信号を伝送するための線である。
データ線ＤＩＯは、コマンドおよび暗号化されたオーディオデータを入出力するための線である。
【００３２】
インターラプト線ＩＮＴは、メモリカード４０Ａからレコーダ１ＡのＣＰＵ２に対しての割り込みを要求するインターラプト信号を伝送する線である。
インターラプト信号は、メモリカード４０Ａをレコーダ１Ａに装着した時に発生される。但し本例では、かかるインターラプト信号をデータ線ＤＩＯを介して伝送するようにしているので、インターラプト線ＩＮＴを接地し、使用していない。
【００３３】
コントロールブロック４１のシリアル／パラレル変換・パラレル／シリアル変換・インタフェースブロック（Ｓ／Ｐ，Ｐ／Ｓ，ＩＦブロックと略す）４３は、上述した複数の線を介して接続されたレコーダ１のメモリインタフェース１１とコントロールブロック４１とのインタフェースである。
このＳ／Ｐ，Ｐ／Ｓ，ＩＦブロック４３は、レコーダ１Ａから受け取ったシリアルデータをパラレルデータに変換してコントロールブロック４１内に取り込み、またコントロールブロック４１からのパラレルデータをシリアルデータに変換してレコーダ１Ａに送る処理を行う。
【００３４】
また、Ｓ／Ｐ，Ｐ／Ｓ，ＩＦブロック４３は、データ線ＤＩＯを介して伝送されるコマンドおよびデータを受け取った時に、フラッシュメモリ４２に対する通常のアクセスのためのコマンドおよびデータと、暗号化に必要なコマンドおよびデータとを分離する。
つまり、データ線ＤＩＯを介して伝送される信号フォーマットとしては、最初にコマンドが伝送され、その後にデータが伝送されるため、Ｓ／Ｐ，Ｐ／Ｓ，ＩＦブロック４３は、コマンドのコードを見て、通常のアクセスに必要なコマンドおよびデータか、暗号化が必要なコマンドおよびデータかを判別する。
この判別結果に従って、通常のアクセスに必要なコマンドをコマンドレジスタ４４に格納し、データをページバッファ４５およびライトレジスタ４６に格納する。
【００３５】
ライトレジスタ４６と関連してエラー訂正符号化回路４７が設けられている。エラー訂正符号化回路４７は、ページバッファ４５に一時的に蓄えられたデータに対してエラー訂正符号の冗長コードを生成する。
コマンドレジスタ４４、ページバッファ４５、ライトレジスタ４６およびエラー訂正符号化回路４７の出力データがフラッシュメモリインタフェースおよびシーケンサ（メモリＩＦ，シーケンサと略す）５１に供給される。
【００３６】
メモリＩＦ，シーケンサ５１は、コントロールブロック４１とフラッシュメモリ４２とのインタフェースであり、両者の間のデータのやり取りを制御する。このメモリＩＦ，シーケンサ５１を介してデータがフラッシュメモリ４２に書き込まれることになる。
【００３７】
データの読出時には、フラッシュメモリ４２から読み出されたデータがメモリＩＦ，シーケンサ５１を介してページバッファ４５、リードレジスタ４８、エラー訂正回路４９に供給される。
ページバッファ４５に記憶されたデータはエラー訂正回路４９によってエラー訂正がなされる。そしてエラー訂正がされたページバッファ４５の出力およびリードレジスタ４８の出力がＳ／Ｐ，Ｐ／Ｓ，ＩＦブロック４３に供給され、上述したシリアルインタフェースを介してレコーダ１ＡのＣＰＵ２に供給される。
【００３８】
なお、コンフィグレーションＲＯＭ５０は、メモリカード４０Ａのバージョン情報、各種の属性情報等が格納されている部位である。
またメモリカード４０Ａには、ユーザが必要に応じて操作可能な誤消去防止用のスイッチ６０が備えられている。このスイッチ６０が消去禁止の接続状態にある場合には、フラッシュメモリ４２内のデータを消去することを指示するコマンドがレコーダ１Ａ側から送られてきても、フラッシュメモリ４２の消去が禁止される。
発振器６１は、メモリカード４０Ａの処理のタイミング基準となるクロックを発生する部位である。
【００３９】
上述したように著作権保護のために、レコーダ１Ａのセキュリティブロック３とメモリカード４０Ａのセキュリティブロック５２とによって、認証処理や、フラッシュメモリ４２に書き込まれるコンテンツ（ＡＴＲＡＣ３により圧縮されたオーディオデータ、以下ＡＴＲＡＣ３データと表記する）の暗号化が行われる。
セキュリティブロック５２は、バッファメモリ５３、ＤＥＳの暗号化回路５４、不揮発性メモリ５５等を有する。
【００４０】
このセキュリティブロック５２は、複数の認証キーとメモリカード毎にユニークなストレージキーを持つ。
不揮発性メモリ５５は、暗号化に必要なキーを格納するもので、外部からは見えない（読み出せない）ものとされている。例えばストレージキーが不揮発性メモリ５５に格納される。
【００４１】
さらに、乱数発生回路を持ち、専用（ある決められたデータフォーマット等の使用が同じシステム内の意味）レコーダ１Ａと正しく認証ができ、セッションキーを共有できる。
ＡＴＲＡＣ３データを暗号化するためのコンテンツキーは、セッションキーで暗号化されてレコーダ１Ａとメモリカード４０Ａとの間で伝送される。
またメモリカード４０Ａのセキュリティブロック５２と同様に、レコーダ１Ａのセキュリティブロック３もセット固有のストレージキーを有する。例えば暗号化されたコンテンツを移動する時に、ストレージキーを使用してコンテンツキーが掛け直される。
【００４２】
次に、図３に非著作権対応のレコーダ１Ｂを示す。このレコーダ１Ｂは、セキュリティ非対応のメモリカード４０Ｂに対応する機器である。（なお図３において図１と同一部分は同一符号を付し、説明を省略する）
【００４３】
例えば、テープレコーダに替わる口述記録をメモリカードに行う所謂ＩＣレコーダに関しては、記録する会議の内容に対しては通常著作権を気にしなくてよい。つまり、記録内容として著作権がからまない音声データを対象とする場合は、図３に示すようなレコーダ１Ｂとメモリカード４０Ｂから成る記録再生システムを用いるものとなる。
【００４４】
このレコーダ１Ｂは、例えば図１のレコーダ１Ａの構成からセキュリティブロック３を除いた構成とされる。（但し、セキュリティブロック３が搭載されていても暗号化等が行われないようにされていればよい。）
また、例えばオーディオ信号の入出力系は、マイクロホン入力もしくはアナログ入出力が設けられる。
即ち、例えばマイクロホンが接続され（もしくはマイクロホン内蔵でもよい）、端子１６から音声信号が入力される場合、その音声信号はマイクアンプ１７で増幅された後、Ａ／Ｄ変換器９によってデジタルオーディオデータとされ、オーディオインターフェース６を介してエンコーダ／デコーダ７に供給される。
また、外部のオーディオ出力機器からアナログオーディオ信号が当該レコーダ１Ｂに供給される場合は、そのアナログオーディオ信号は端子８からＡ／Ｄ変換器９に供給されてディジタルオーディオ信号へ変換され、オーディオインターフェース６を介してエンコーダ／デコーダ７に供給される。
エンコーダ／デコーダ７では、供給されるディジタルオーディオ信号に対してＡＴＲＡＣ３、もしくはＡＴＲＡＣ、ＡＤＰＣＭなどの所定の方式での圧縮符号化の処理を行い、符号化データをＣＰＵ２に供給する。
【００４５】
このレコーダ１Ｂに対しては、メモリカード４０Ｂが着脱自在とされている。なおレコーダ１Ｂにはメモリカード４０Ａも装着可能である。
ＣＰＵ２は、図示しない着脱機構に装着されたメモリカード４０Ｂと、メモリインタフェース１１を介して通信を行なう。メモリインタフェース１１によって、ＣＰＵ２とメモリカード４０Ｂとの間では、シリアル通信がなされる。
ＣＰＵ２は、エンコーダ／デコーダ７で圧縮符号化処理が施されたオーディオデータを、メモリインターフェース１１を介してメモリカード４０Ａに供給し、フラッシュメモリ４２に書き込む。
【００４６】
以上の経路で、入力されたオーディオ信号がメモリカード４０Ｂに記録される。そしてこのようにレコーダ１Ｂでメモリカード４０Ｂにオーディオデータ等を記録する場合、暗号化処理は行われないが、圧縮処理は行われる。また上記の通り、その圧縮方式は上記レコーダ１Ａと同様にＡＴＲＡＣ３でもよいし、或いはＡＴＲＡＣ、もしくはＡＤＰＣＭなど他の圧縮方式が採用されてもよい。
【００４７】
メモリカード４０Ｂに記録されたオーディオデータを再生する際には、ＣＰＵ２はメモリインターフェース１１を介してフラッシュメモリ４２から読み出させたオーディオデータを転送させて取り込む。そして読み出されたオーディオデータをエンコーダ／デコーダ７によって圧縮処理に対する復号化処理を実行させる。
【００４８】
エンコーダ／デコーダ７での復号処理により４４．１ｋHzサンプリングで１サンプル１６ビットのデータとされたオーディオ信号は、オーディオインターフェース６を介してＤ／Ａ変換器１２に供給されてアナログオーディオ信号とされ、端子１３から外部機器又は接続されたヘッドホン等に出力される。
【００４９】
図４は、暗号化機能を有しない（すなわち、著作権に関するセキュリティ非対応の）メモリカード４０Ｂを示す。なお、図２のメモリカード４０Ａと同一部分は同一符号を付し、説明を省略する。
図２により説明したメモリカード４０Ａと比較すると、Ｓ／Ｐ，Ｐ／Ｓ，ＩＦブロック４３に対して、セキュリティブロック５２が接続されていないことが異なる。その他の構成に関してはメモリカード４０Ａと４０Ｂは同一である。
また図示していないが、形状、サイズもメモリカード４０Ａ、４０Ｂは同一とされている。
【００５０】
以上のように本例として、著作権対応のレコーダ１Ａ及びメモリカード４０Ａと、非著作権対応のレコーダ１Ｂ及びメモリカード４０Ｂがある。
そして著作権対応のレコーダ１Ａ及びメモリカード４０Ａは、主に音楽など著作権保護が必要なデータの記録再生に用いられ、一方、非著作権対応のレコーダ１Ｂ及びメモリカード４０Ｂは、例えば会議録音など著作権保護が不要なデータの記録再生に用いられる。
そして上述のように、メモリカード４０Ａには、ＡＴＲＡＣ３圧縮処理及び暗号化処理が施されたデータが記録されるが、メモリカード４０Ｂには、ＡＴＲＡＣ３もしくは他の方式での圧縮処理が施され、暗号化処理は施されていないデータが記録されるものとなる。
【００５１】
また図１に示すレコーダ１Ａは、著作権に関するセキュリティ対応のものであるので、メモリカードとの相互認証、暗号処理に用いるキーの通信等を行う。
もしレコーダ１Ａにセキュリティに対応していないメモリカード４０Ｂを装着すると、レコーダ１Ａは、メモリカード４０Ｂがセキュリティ非対応のものであるため、メモリカード４０Ｂを使用できないものと判定する。
【００５２】
レコーダ１Ａがメモリカードの種類を判定する方法としては、幾つかの方法がある。
一つの方法では、認証時の応答状態を監視する。
メモリカードが装着された時には、上述したようにレコーダ１ＡのＣＰＵ２は認証を行うためにメモリカードに対して第１の認証データを伝送するが、メモリカード４０Ｂが装着されていた場合は、セキュリティブロック５２が存在しないため、メモリカード４０Ｂからは、正規の応答（上述した第２の認証データ）を受信できない。
従ってＣＰＵ２は、第１の認証データの送信後、或る時間を経過しても正規の応答が得られなかった場合は、装着されたメモリカードがセキュリティ非対応のものと判定できる。
【００５３】
他の方法としては、メモリカードの領域（ブート領域）中に、セキュリティ対応／非対応の識別情報を記録しておく方法がある。
即ちＣＰＵ２はメモリカードが装着された時に、最初にレコーダ１Ａに読み込まれるブート領域のデータ中における、セキュリティ対応／非対応の識別情報を読み取り、この識別情報に基づいてレコーダ１Ａがメモリカードの種類（４０Ａ又は４０Ｂ）を判定することができる。
【００５４】
このようにしてメモリカードの種類を判定することで、レコーダ１Ａは、メモリカード４０Ａが使用されるようにし、それによって著作権保護のための認証、及び暗号化が実行できるようにしている。
【００５５】
以上のように著作権の保護の必要の有無の事情から、レコーダ１Ａについてはメモリカード４０Ａが使用され、レコーダ１Ｂについてはメモリカード４０Ｂが使用されるべきものとなるが、上述のようにメモリカード４０Ａとメモリカード４０Ｂは外観形状及びサイズが同一であり、見分けがつきにくいことで、ユーザーが正確に使い分けを行うことが困難である。結果として、レコーダ１Ａにメモリカード４０Ｂを装着してしまうということ、或いはその逆が、多々発生すると考えられる。
【００５６】
そこで本例のレコーダ１Ａ（例えばＣＤ等の記録媒体から音楽をダウンロードすることなどを目的とした音楽用携帯端末）及びレコーダ１Ｂ（例えばマイク入力音声の録音を目的とした口述記録用携帯端末）のそれぞれは、メモリカードが装着された際に、図５、図６に示すような処理を行うようにしている。
【００５７】
図５はレコーダ１ＡのＣＰＵ２の処理を示している。
著作権対応のレコーダ１ＡのＣＰＵ２は、ステップＦ１０１でメモリカードの挿入を監視しており、レコーダ１Ａにメモリカードが装着されたことに応じて処理をステップＦ１０２に進める。
ステップＦ１０２においては、ＣＰＵ２はメモリカードに対しての認証処理を開始する。即ち認証データをメモリカードに転送する。
この認証処理の結果として、上述したように、正規の応答が得られれば、ＣＰＵ２は装着されているのは著作権保護を目的としてセキュリティブロック５３が搭載されているメモリカード４０Ａであると判別できる。一方、所定時間内に正規の応答がえられなければ、装着されているのは著作権保護に非対応のメモリカード４０Ｂであると判別できる。
この判別にしたがってＣＰＵ２はステップＦ１０３で処理を分岐する。
即ち、著作権対応のメモリカード４０Ａと判断された場合には、ステップＦ１０４に進んで、メモリカードに対する記録／再生を行う（実際には、その後のユーザの操作に応じて記録又は再生動作を実行する）。
一方、非著作権対応のメモリカード４０Ｂと判断された場合には、ステップＦ１０５で、メモリカードの排出動作を実行させる。
【００５８】
このような処理を行うことで、ユーザーがレコーダ１Ａにメモリカード４０Ｂを誤挿入した場合に、そのまま記録再生が行われてしまうことはなく、また強制的な排出によりユーザーは誤挿入を認識できるため、ユーザーはメモリカードを入れ換えるという対応をとることができる。
【００５９】
図６はレコーダ１ＢのＣＰＵ２の処理を示している。
非著作権対応のレコーダ１ＢのＣＰＵ２は、ステップＦ２０１でメモリカードの挿入を監視し、レコーダ１Ｂにメモリカードが装着されたことに応じて処理をステップＦ２０２に進める。
ステップＦ２０２においては、ＣＰＵ２は挿入されたメモリカードからブート領域のデータを読み込む。そして、ブート領域のデータ内の著作権に関するセキュリティ対応／非対応の識別情報を読み取り、そのメモリカードが著作権非対応のものであるか否かを判別する。
この判別にしたがってＣＰＵ２はステップＦ２０３で処理を分岐する。
即ち、非著作権対応のメモリカード４０Ｂと判断された場合には、ステップＦ２０４に進んで、メモリカード４０Ｂに対する記録／再生を行う（ユーザの操作に応じて記録又は再生動作を実行する）。
一方、著作権対応のメモリカード４０Ａと判断された場合には、ステップＦ２０５で、メモリカードの排出動作を実行させる
【００６０】
このような処理を行うことで、ユーザーがレコーダ１Ｂにメモリカード４０Ａを誤挿入した場合に、そのまま記録再生が行われてしまうことはなく、また強制的な排出によりユーザーは誤挿入を認識できるため、ユーザーはメモリカードを入れ換えるという対応をとることができる。
【００６１】
ところで、レコーダ１Ａ、１Ｂによるメモリカード装着時の他の処理例として、図７、図８のような処理を行うようにしてもよい。
図７はレコーダ１ＡのＣＰＵ２の処理を示している。
著作権対応のレコーダ１ＡのＣＰＵ２は、ステップＦ３０１でメモリカードの挿入を監視しており、レコーダ１Ａにメモリカードが装着されたことに応じて処理をステップＦ３０２に進める。
ステップＦ３０２においては、ＣＰＵ２はメモリカードに対しての認証処理を開始する。即ち認証データをメモリカードに転送する。
この認証処理の結果として正規の応答が得られれば、ＣＰＵ２は装着されているのは著作権保護を目的としてセキュリティブロック５３が搭載されているメモリカード４０Ａであると判別できる。一方、所定時間内に正規の応答がえられなければ、装着されているのは著作権保護に非対応のメモリカード４０Ｂであると判別できる。
この判別にしたがってＣＰＵ２はステップＦ３０３で処理を分岐する。
即ち、著作権対応のメモリカード４０Ａと判断された場合には、ステップＦ３０４に進んで、ユーザーの操作に応じてメモリカード４０Ａに対する記録／再生を行う。
一方、非著作権対応のメモリカード４０Ｂと判断された場合には、ステップＦ３０５で、ＣＰＵ２の処理モードとして、装着されているメモリカードに対する記録／再生動作を禁止する処理を行う。
この場合、その後ユーザーがデータ（つまりレコーダ１Ａで扱う、著作権保護対象となっているデータ）の記録又は再生の操作を行っても、記録又は再生動作は実行されない。
【００６２】
このような処理を行うことで、ユーザーがレコーダ１Ａにメモリカード４０Ｂを誤挿入し、記録又は再生操作を行っても、そのまま記録再生が行われてしまうことはなく、従って、著作権保護がなされるべきデータが、メモリカード４０Ｂに記録されるということはなくなる。
なおＣＰＵ２は、記録／再生動作を禁止した場合、その旨を表示デバイス５などからユーザーに告知したり、メモリカードの入れ換えを求める表示を行うようにするとよい。
【００６３】
図８はレコーダ１ＢのＣＰＵ２の処理を示している。
非著作権対応のレコーダ１ＢのＣＰＵ２は、ステップＦ４０１でメモリカードの挿入を監視し、レコーダ１Ｂにメモリカードが装着されたことに応じて処理をステップＦ４０２に進める。
ステップＦ４０２においては、ＣＰＵ２は挿入されたメモリカードからブート領域のデータを読み込む。そして、ブート領域のデータ内の著作権に関するセキュリティ対応／非対応の識別情報を読み取り、そのメモリカードが著作権非対応のものであるか否かを判別する。
この判別にしたがってＣＰＵ２はステップＦ４０３で処理を分岐する。
即ち、非著作権対応のメモリカード４０Ｂと判断された場合には、ステップＦ４０４に進んで、メモリカード４０Ｂに対する記録／再生を行う（ユーザの操作に応じて記録又は再生動作を実行する）。
一方、著作権対応のメモリカード４０Ａと判断された場合には、ステップＦ４０５で、ＣＰＵ２の処理モードとして、装着されているメモリカードに対する記録／再生動作を禁止する処理を行う。
この場合、その後ユーザーがデータ（つまりレコーダ１Ｂで扱う、著作権保護の対象外とされているデータ）の記録又は再生の操作を行っても、記録又は再生動作は実行されない。
【００６４】
このような処理を行うことで、ユーザーがレコーダ１Ｂにメモリカード４０Ａを誤挿入し、記録又は再生操作を行っても、そのまま記録再生が行われてしまうことはなく、従って、著作権保護が不要なデータが、メモリカード４０Ａに記録されるということはなくなる。
なおＣＰＵ２は、記録／再生動作を禁止した場合、その旨を表示デバイス５などからユーザーに告知したり、メモリカードの入れ換えを求める表示を行うようにするとよい。
【００６５】
なお、図５又は図７において示したレコーダ１Ａの処理では、認証結果により著作権対応のメモリカード４０Ａであるか否かを判別したが、ブート領域の識別情報から判別するようにしてもよい。
また図６又は図８において示したレコーダ１Ｂの処理では、ブート領域の識別情報から非著作権対応のメモリカード４０Ｂであるか否かを判別するようにしたが、レコーダ１Ｂにセキュリティブロックが搭載されており、認証処理が可能であれば、認証結果に基づいてメモリカードの種別を判断するようにしてもよい。
【００６６】
ところで、メモリカード４０Ａ，４０Ｂの両方に対応できる携帯端末（レコーダ）も考えられる。
例えばＣＤプレーヤ等の外部機器からのデジタルオーディオデータとしての音楽の記録と、会議等の音声の記録の両方を実行可能なレコーダを考えると、例えばそのレコーダにマイクロホンを接続して会議録音等を行う場合は、著作権保護は必要ないため、メモリカード４０Ｂを使用し、一方、外部機器からの音楽データの録音等を行う場合は、著作権保護を要するためメモリカード４０Ａを使用するという使用形態が考えられる。
【００６７】
そのようなレコーダ１Ｃの構成例を図９に示す。図示するようにこの図９のレコーダ１Ｃは、上記レコーダ１Ａ、１Ｂの両方の構成を備えたものとなる。なお、図１、図３と同一部分は同一符号を付し、各部の説明は省略する。
なお、レコーダ１Ｃには、レコーダ１Ａ、１Ｂの構成に加えてモードスイッチ１８が設けられる。
このモードスイッチ１８は、ユーザーが会議等の口述録音を行う場合と、音楽録音を行う場合とで切り換えるスイッチである。
【００６８】
このようなレコーダ１Ｃでは、メモリカードが装着された際に適切な処理を行うため、例えば図１０のような処理を行うようにする。
レコーダ１ＣのＣＰＵ２は、まずステップＦ５０１でモードスイッチ１８の切換状態を監視するようにし、モードスイッチ１８が著作権対応モード、つまり音楽録音を行う状態に設定されている場合は、ステップＦ５０２，Ｆ５０３の処理に進むようにする。
即ちステップＦ５０２で、マイク入力の受付の禁止処理を行う。例えば端子１６からの音声信号は、オーディオインターフェース６において、入力として受け付けられないようにする。つまりレコーダ１Ｃを、上記レコーダ１Ａと略同一の機能の状態とする。
そしてステップＦ５０３で、著作権対応のレコーダとしての処理を行う。即ち上記図５、又は図７の処理が実行されるようにし、つまりメモリカードが装填された際にその種別を判別して、メモリカード１Ａであれば、操作に応じて記録／再生を行うが、メモリカード１Ｂであったら、そのメモリカードの排出もしくは記録／再生の禁止処理を行うようにする。
【００６９】
一方、ステップＦ５０１でモードスイッチ１８の切換状態が非著作権対応モード、つまり口述録音を行う状態に設定されている場合は、ステップＦ５０４，Ｆ５０５の処理に進むようにする。
即ち、ステップＦ５０４でデジタル入出力の禁止処理を行う。例えばインターフェース６の処理により、端子１０からのデジタルオーディオデータ入力や、端子１４，１５からのデジタルオーディオデータ出力が実行されないようにする。つまりレコーダ１Ｃを、上記レコーダ１Ｂと略同一の機能の状態とする。
そしてステップＦ５０４で、非著作権対応のレコーダとしての処理を行う。即ち上記図６、又は図８の処理が実行されるようにする。この場合、メモリカードが装填された際にその種別が判別され、メモリカード１Ｂであれば、操作に応じて記録／再生を行うが、メモリカード１Ａであったら、そのメモリカードの排出もしくは記録／再生の禁止処理が行なわれるようになる。
【００７０】
このような処理により、メモリカード４０Ａ，４０Ｂの両方に対応できるレコーダ１Ｃおいて、音楽記録再生用途、口述記録再生用途に応じて、適切なメモリカードが用いられるようになり、適切な著作権保護を伴う記録再生や、著作権保護の不要なデータについての適切な記録再生が実現できる。
【００７１】
ところでこのようなレコーダ１Ｃでは、図１０の処理に代えて、図１１のような処理が行われるようにしてもよい。
即ち挿入されるメモリカードの種別に応じて、モードが設定されるようにするものである。この場合、ユーザーの操作するモードスイッチ１８は不要となる。
【００７２】
図１１の処理としては、レコーダ１ＣのＣＰＵ２は、ステップＦ６０１でメモリカードの挿入を監視しており、レコーダ１Ａにメモリカードが装着されたことに応じて処理をステップＦ６０２に進める。
【００７３】
ステップＦ６０２においては、ＣＰＵ２はメモリカードに対しての認証処理を開始する。即ち認証データをメモリカードに転送する。
この認証処理の結果として正規の応答が得られれば、ＣＰＵ２は装着されているのはメモリカード４０Ａであると判別できる。一方、所定時間内に正規の応答がえられなければ、装着されているのはメモリカード４０Ｂであると判別できる。この判別にしたがってＣＰＵ２はステップＦ６０３で処理を分岐する。
著作権対応のメモリカード４０Ａと判断された場合には、ステップＦ６０４に進んで、ＣＰＵ２の処理モードとして、音楽記録／再生モードの設定を行う。このとき上記図１０のステップＦ５０２と同様に、マイク入力の受付の禁止処理を行う。
そしてステップＦ６０５で、ユーザーの操作に応じてメモリカード４０Ａに対する記録／再生を行う。
【００７４】
一方、装着されているのが非著作権対応のメモリカード４０Ｂと判断された場合には、ステップＦ６０６で、ＣＰＵ２の処理モードとして、口述記録／再生モードの設定を行う。このとき上記図１０のステップＦ５０４と同様に、デジタル入出力の禁止処理を行う。
そしてステップＦ６０７で、ユーザーの操作に応じてメモリカード４０Ｂに対する記録／再生を行う。
【００７５】
このような処理により、メモリカード４０Ａ，４０Ｂの両方に対応できるレコーダ１Ｃおいて、音楽記録再生の用途にはメモリカード４０Ａの使用に限られ、また口述記録再生の用途にはメモリカード４０Ｂの使用に限られるため、記録内容に応じて適切なメモリカードが用いられるようになり、適切な著作権保護を伴う記録再生や、著作権保護の不要なデータについての適切な記録再生が実現できる。
【００７６】
以上実施の形態について説明してきたが、本発明は音楽、音声等のオーディオデータのレコーダとしての携帯端末だけではなく、文字データ、動画データ、静止画データ、コンピュータ用途のデータ（プログラム、ファイル等）などの携帯端末においても適用できる。
例えば文字データとしても、出版対象となり著作権保護対象となっている文字データや、個人のタイプした文章や日記など著作権保護を考えなくてよい文字データが存在する。
従って、著作権保護対象となるべき文字データについては、上記レコーダ１Ａ及びメモリカード４０Ａのようにセキュリティブロックを有するシステムにより記録再生されるべきものとなり、一方著作権保護の不要な文字データについては、上記レコーダ１Ｂ及びメモリカード４０Ｂのようにセキュリティブロックを有しないシステムにより記録再生されるべきものとなるため、そのような文字データを対象とする携帯端末として本発明は適用できる。
動画データ、静止画データ、コンピュータ用途のデータなどについても同様である。
【００７７】
また、上述のメモリカードとしては、フラッシュメモリに代表される不揮発性メモリを例にとったが、揮発性メモリにバックアップ用の電池を搭載したメモリカードや光メモリカードを用いてもよい。
【００７８】
【発明の効果】
以上説明したように本発明において著作権対応の記録再生装置となる著作権対応携帯端末は、非著作権対応のメモリが装着された場合に、データの記録又は再生が実行されないように、記録／再生動作の禁止もしくはメモリの排出を行うようにしている。
また、非著作権対応の記録再生装置となる著作権非対応携帯端末は、著作権対応のメモリが装着された場合に、データの記録又は再生が実行されないように、記録／再生動作の禁止もしくはメモリの排出を行うようにしている。
従って、ユーザーの誤挿入や使用方法の理解不足などから、著作権対応の携帯端末により非著作権対応のメモリに対する記録再生が行われて、著作権保護が適切に実行できなかったり、データのダウンロード録音等に失敗してしまうということがなくなり、また非著作権対応の携帯端末により著作権対応のメモリに対する記録再生が行われて、著作権保護が不要なデータが自由に利用できなくなることなどがなくなり、常に適切に使用される環境を実現できるという効果がある。
【図面の簡単な説明】
【図１】本発明の実施の形態の著作権対応レコーダのブロック図である。
【図２】実施の形態の著作権対応メモリカードのブロック図である。
【図３】実施の形態の非著作権対応レコーダのブロック図である。
【図４】実施の形態の非著作権対応のメモリカードのブロック図である。
【図５】実施の形態の著作権対応レコーダのメモリカード装着時の処理のフローチャートである。
【図６】実施の形態の著作権非対応レコーダのメモリカード装着時の処理のフローチャートである。
【図７】実施の形態の著作権対応レコーダのメモリカード装着時の処理のフローチャートである。
【図８】実施の形態の著作権非対応レコーダのメモリカード装着時の処理のフローチャートである。
【図９】実施の形態の両対応レコーダのブロック図である。
【図１０】実施の形態の両対応レコーダの処理のフローチャートである。
【図１１】実施の形態の両対応レコーダの処理のフローチャートである。
【符号の説明】
１Ａ，１Ｂ，１Ｃ  レコーダ、２  ＣＰＵ、３，５２  セキュリティブロック、４  操作部、５  表示デバイス、６  オーディオインターフェース、７  エンコーダ／デコーダ、９  Ａ／Ｄ変換器、１１  メモリインターフェース、１２  Ｄ／Ａ変換器、４０Ａ，４０Ｂ  メモリカード
【図１】
0004300643.tif 000002
【図２】
0004300643.tif 000003
【図３】
0004300643.tif 000004
【図４】
0004300643.tif 000005
【図５】
0004300643.tif 000006
【図６】
0004300643.tif 000007
【図７】
0004300643.tif 000008
【図８】
0004300643.tif 000009
【図９】
0004300643.tif 000010
【図１０】
0004300643.tif 000011
【図１１】
0004300643.tif 000012